(57)【要約】【課題】  従来技術は、床面、すなわち底盤スラブの上に敷詰めるもので、壁面の湧水処理については一切考慮されていなく、例えば、従来技術で湧水処理部材を壁面に使用しようとしても、作業性が悪く、コスト高になり、特に左右上下方向のつなぎ目の処理が大変であり、使い物にならない。  これに対して、本願発明は、ステンレス鋼製波板を地下室側壁の湧水処理部材として採用することで、極めて作業性の高い、安価なものを提供することと同時に結露防止を可能にすることを目的としている。【解決手段】  地下室側壁２全面または一部に設け、左右方向つなぎ目は波板の凹凸部を一部重ね合わせ、上下方向のつなぎ目は水処理金具３、または凹凸部の縦継方式を介してつないで形成した全体がステンレス鋼製波板で構成し、さらに断熱材を施工した地下室側壁の湧水処理装置。【選択図】図２
2006257866.tif 000002
【特許請求の範囲】
【請求項１】
地下室側壁全面または一部に設け、左右方向つなぎ目は波板の凹凸部を一部重ね合わせ、上下方向のつなぎ目は水処理金具、または凹凸部の縦継方式を介してつないで形成した全体が腐食に強い材料のステンレス鋼製波板等で構成されたことを特徴とする地下室側壁の湧水処理部材。
【請求項２】
地下室側壁と湧水処理層と、底盤スラブとで構成される湧水処理装置であって、前記湧水処理層は、複数のステンレス鋼製波板等と、水処理金具を含み、前記湧水処理部材である複数のステンレス鋼製波板等を地下室側壁に立設し、左右方向のつなぎ目は波板の凹凸部を一部重ね合わせ、上下方向のつなぎ目は、ステンレス鋼製板等で形成した図示のような鉤型形状の水処理金具でつなぎ合わせ、ステンレス鋼製波板等の凹部でネジ釘等の係止具で側壁に止め付けてなることを特徴とする地下室側壁の湧水処理装置。
【請求項３】
地下室のコンクリート側壁と湧水処理層と、底盤スラブとで構成され、前記湧水処理層は、複数のステンレス鋼製波板等と、水処理金具を含み、湧水処理材である複数のステンレス鋼製波板等を地下室側壁に立設し、左右方向のつなぎ目は波板の凹凸部を一部重ね合わせ、上下方向のつなぎ目は、ステンレス鋼製板等で形成した鉤型形状の水処理金具でつなぎ合わせ、ステンレス鋼製波板等の凹みをネジ釘等の係止具で側壁に止め付け、その外側にウレタンホーム、ロックウール等の断熱材を止め付け、さらにその外側に不陸調整材兼接着材を介して、石膏ボードや珪酸カルシューム板等の化粧版を貼り付けたことを特徴とする地下室側壁の湧水処理装置。
【発明の詳細な説明】
【技術分野】
【０００１】
近年ますます都市の過密化が進む中、土地の有効性を高めるため、地下空間の利用が活発化している。しかし、我が国の都市部の地盤は取水制限等により地下水位が高くなっている。従って、地下外周壁や耐圧盤から浸入する湧水への対応が必要不可欠となっている。本発明は、その対応策としての湧水処理部材及び湧水処理装置に関し、防錆処理された金属波板、あるいはステンレス鋼製波板で地下外周壁に固設することにより、軽量で施工時の取り扱いが容易であり、しかも充分な湧水処理能力を有する安価な湧水処理部材及び湧水処理装置に関するものである。
【背景技術】
【０００２】
従来技術としては、底盤スラブと、湧水処理層と、上部スラブとを含む湧水処理装置であって、前記湧水処理層は、複数の湧水処理部材と、クリップ部材と、可撓性シート部材を含み、前記湧水処理部材のそれぞれは、全体が不透水性板材で構成されていて、表裏をなす２面のうちの一面を他面に向かってくぼませて前記他面側に突出するように形成された突起を多数個有し、前記他面側において前記突起と突起との間に凹部が生じており、前期凹部は表裏の方向に切断したときに現れる壁面断面が円弧状となるように形成されており、外周縁に、前記突起の突出方向とは逆方向に突出するように折曲げて形成された凸縁を有しており、前記突起を形成した前記主面が前記底盤スラブと対面し、前記突縁の側端面が互いに重なり合うようにして、前記底盤スラブ上に敷詰められており、前記クリップ部材は、隣接する前記湧水処理部材の前記凸縁を一緒に挟み込むように装着されており、前記可撓性シート部材は、前記湧水処理部材を敷詰めたときに生じる隅部の接合部を覆うように配置され前記クリップ部材によって挟み込まれており、前記上部スラブは、前記湧水処理部材の前記主面の他方の上に配置されている湧水処理装置（特許文献１参照）が存在している。
【特許文献１】特許第２６９８２０７号公報（特許請求の範囲、実施例の欄、及び図３〜図５を参照）
【発明の開示】
【発明が解決しようとする課題】
【０００３】
近年、床面すなわち底盤スラブの上に湧水処理レンガを敷詰めたものに換えて、湧水処理レンガは極めて重量が重いため、施工作業が重労働となり、しかも量産性が低く、コスト高になる難点を解消した全体が不透水性板材で構成され、表裏の２面のうち１面を他面に向かって窪ませて、他面側に突出する突起を多数有し、しかも凹部は、表裏の方向に切断したときに現れる壁面断面が円弧状となるように形成され、機械的強度が増大し、大きな鉛直荷重を支えることができる湧水処理部材を底盤スラブ上に配置したものが存在するが、これは床面、すなわち底盤スラブの上に敷詰めるもので、壁面の湧水処理については一切考慮されていなく、例えば、この従来の技術で湧水処理部材を壁面に使用しようとしても、作業性が悪く、コスト高になり、特に左右上下方向のつなぎ目の処理が大変であり、使い物にならない。
これに対して、本願発明は、腐食に強い材料であるステンレス鋼製波板等を地下室側壁の湧水処理部材として採用することで、極めて作業性の高い、安価なものを提供することを目的としている。
【課題を解決するための手段】
【０００４】
上記課題を解決するための本発明の第１発明は、請求項１に記載された通りの地下室側壁の湧水処理部材であり、次のようなものである。
地下室側壁全面または一部に設け、左右方向つなぎ目は波板の凹凸部を一部重ね合わせ、上下方向のつなぎ目は水処理金具、または凹凸部の縦継方式を介してつないで形成した全体が腐食に強い材料のステンレス鋼製波板等で構成されたものである。
【０００５】
上記課題を解決するための本発明の第２発明は、請求項２に記載された通りの地下室側壁の湧水処理装置であり、次のようなものである。
地下室側壁と湧水処理層と、底盤スラブとで構成される湧水処理装置であって、前記湧水処理層は、複数のステンレス鋼製波板等と、水処理金具を含み、前記湧水処理部材である複数のステンレス鋼製波板等を地下室側壁に立設し、左右方向のつなぎ目は波板の凹凸部を一部重ね合わせ、上下方向のつなぎ目は、ステンレス鋼製板等で形成した図示のような鉤型形状の水処理金具でつなぎ合わせ、ステンレス鋼製波板等の凹部でネジ釘等の係止具で側壁に止め付けてなる構成である。
【０００６】
上記課題を解決するための本発明の第３発明は、請求項３に記載された通りの地下室側壁の湧水処理装置であり、次のようなものである。
地下室のコンクリート側壁と湧水処理層と、底盤スラブとで構成され、前記湧水処理層は、複数のステンレス鋼製波板等と、水処理金具を含み、湧水処理材である複数のステンレス鋼製波板等を地下室側壁に立設し、左右方向のつなぎ目は波板の凹凸部を一部重ね合わせ、上下方向のつなぎ目は、ステンレス鋼製板等で形成した鉤型形状の水処理金具でつなぎ合わせ、ステンレス鋼製波板等の凹みをネジ釘等の係止具で側壁に止め付け、その外側にウレタンホーム、ロックウール等の断熱材を止め付け、さらにその外側に不陸調整材兼接着材を介して、石膏ボードや珪酸カルシューム板等の化粧版を貼り付ける構成である。
【発明の効果】
【０００７】
本発明に係る地下室側壁の湧水処理部材及び湧水処理装置は、上記説明のような構成であるので、以下に記載する効果を奏する。
（１）地下室の底盤スラブの湧水処理については、従来湧水処理レンガ、不透水性板材の敷詰めで行われていた。また壁面については、コンクリートブロックの積み上げや、耐水プラスターボードやケイカル板の圧着貼りが行われている。ところが、これは作業性が悪く、左右上下方向のつなぎ目の処理が大変で、コスト高になっているのを解消し、作業性が良く、左右上下方向のつなぎ目の処理も簡単で、コスト安になるものである。
（２）湧水排出路の形成を特に考慮することなく、単に市販の腐食に強い材料のステンレス鋼製波板等の方向性をうまく利用して、この波板の凹凸部を介して、湧水を能率良く排出することができる。
（３）湧水処理部材の左右方向のつなぎ目は、一部重なるようにし、上下方向のつなぎ目は波板の凹凸にならわせて、なおかつステンレス鋼製板等で形成した図示のような鉤型形状の水処理金具、または凹凸部の縦継方式（桁重ね）を介して、上下のステンレス鋼製波板等のつなぎを行うことで、水漏れを防止でき、しかも、側壁に止め付ける際、湧水処理部材であるステンレス鋼製波板等の凹部をネジ釘等の係止具で止め付けるだけで良く、作業性が良くなる。
（４）波板・角波板を桁重ねすることにより、水切りを省略することができると同時に、波板の輸送における荷痛みを極力少なくすることにより、長さ調整・水切りを省くことによるコストダウンを奏することができる。
（５）現状、主として施工されているセメント成形押出板や、ブロック積みは、二重壁を造ることによって生じるスペースが必要になるのに対して、本発明は、スペースを大幅に省略することが可能である。
（６）地下室側壁部に湧水処理装置を取り付け、この湧水処理装置の外側にウレタンホームや、ロックウール等の断熱材を設けることで結露防止が可能である。
【発明を実施するための最良の形態】
【０００８】
地下室側壁と湧水処理層と、底盤スラブとで構成される湧水処理装置であって、前記湧水処理層は、複数の腐食に強い材料のステンレス鋼製波板等と、水処理金具、または凹凸部の縦継方式（桁重ね）を含み、前記湧水処理部材である複数のステンレス鋼製波板等を地下室側壁に立設し、左右方向のつなぎ目は波板の凹凸部を一部重ね合わせ、上下方向のつなぎ目は、ステンレス鋼製板等で形成した図示のような鉤型形状の水処理金具でつなぎ合わせ、ステンレス鋼製波板等の凹部でネジ釘等の係止具で側壁に止め付け、さらに外側にウレタンホームや、ロックウール等の断熱材を設けてなる地下室側壁の湧水処理装置である。
【実施例１】
【０００９】
以下、本発明の一実施例を添付図面で詳細に説明する。
図１は、本発明に係る第一実施例の市販されている腐食に強い材料のステンレス鋼製波板等で形成した湧水処理部材の斜視図、図２は、本発明の湧水処理部材を使用して構築した地下室の湧水処理装置全体を示す概略斜視図、図３は、他の実施例である腐食に強い材料のステンレス鋼製波板等の凹凸形状が違う角波形状の例を示す横断面図、図４は、上下方向のつなぎ目の水処理金具を介してつないだ状態を示す側面図、図５は、前記水処理金具を示す斜視図、図６は、側壁に形成した湧水処理部材と床に形成した湧水処理部材のつなぎ目の水処理金具を示す斜視図である。
【００１０】
地下室側壁の湧水処理を行うには、図２に示すように地下外周壁、すなわち側壁２を鉄筋コンクリートで構築され、室内側に本発明のステンレス鋼製波板等で形成された湧水処理部材１によって内側壁体を構築し、側壁２を通して浸入してきた湧水を湧水処理部材１で集め、凹凸部を介して底盤スラブ５に設けた排水ピット６に集水して処理するものである。
【００１１】
前記湧水処理部材１の外側に結露防止のためのウレタンホーム材や、ロックウール材等の断熱材８を取り付け施工し、ボンド等の不陸調整材兼用の接着材で石膏ボードや珪酸カルシューム板等の化粧板を貼り付け、複合地下室側壁を形成する。
【００１２】
湧水処理部材１は、例えば０．５ｍｍ〜５ｍｍ程度のステンレス鋼製波板で構成される。
この波板形状の湧水処理部材１を波板の凹凸が上下に通路ができるように並列して、左右のつなぎ目はこの波板の凹凸部が重なるようにして、重ね合わせて壁面２に波板の外側から見て（壁面側を内側として見た場合）、凹凸の凹部の適宜部分をネジ釘等の係止具で止め付けていくものである。
【００１３】
また、上下方向のつなぎ目は、図４、図５で示すような形状を有し、ステンレス鋼製板を図示のような鉤型形状に折り曲げ、平坦部に排水孔７を適宜設け、一部に立ち上げ部４を有する水処理金具３でつなぎ合わせていくものである。市販されているステンレス鋼製波板１を使用し、波板の凹凸部を利用して湧水の排出路にでき、ステンレス鋼製のため、錆の問題がなく、つなぎ合わせ部の処理も簡単であり、強度的にも床面（底盤スラブ部）のように荷重のかかり方が違うので充分なものである。
【００１４】
側壁の湧水処理部材１と床の湧水処理部材１０間のつなぎ目は図４、図６で示すような形状を有し、ステンレス鋼製板を図示のような鉤型形状に折り曲げ、平坦部に排水孔７を適宜設け、一部に立ち上げ部４と床の湧水処理部材１０の上面に配置できるように水平に折り曲げた水平部１１を有する水処理金具９でつなぎ合わせていくもので、前記水平部１１の部分で床の湧水処理部材１０と固定するものである。
また、前記水処理金具３、９には排水孔７を形成してあるが、排水孔７は形成せずに落差をつけるように若干の傾斜を付けて、排水管に集水して排水することも考えられる。
なお、端部、つなぎ目の端部処理としてコーキング処理を行うことはいうまでもない。
【産業上の利用可能性】
【００１５】
凹凸部に補強部材を設けることによって底盤スラブ（床面に相当）等の荷重のかかる部分に応用することも可能である。
【図面の簡単な説明】
【００１６】
【図１】本発明の湧水処理部材の一実施例を示す斜視図である。
【図２】本発明の湧水処理部材を使用して地下室の外周壁（側壁）の湧水を処理する全体像を説明する概略斜視図である。
【図３】他の実施例である湧水処理部材を示す断面図である。
【図４】本発明の水処理金具の使用状態を示す概略側面図である。
【図５】本発明の水処理金具の概略斜視図である。
【図６】本発明の側壁の湧水処理部材と床の湧水処理部材間の水処理金具の概略斜視図である。
【符号の説明】
【００１７】
１・・・・湧水処理部材                      ２・・・・側壁
３・・・・水処理金具                        ４・・・・立ち上げ部
５・・・・底盤スラブ                        ６・・・・排水ピット
７・・・・排水孔                            ８・・・・断熱材
９・・・・側壁の湧水処理部材と床の湧水処理部材間の水処理金具
１０・・・・床の湧水処理部材                １１・・・・水平部
【図１】
2006257866.tif 000003
【図２】
2006257866.tif 000004
【図３】
2006257866.tif 000005
【図４】
2006257866.tif 000006
【図５】
2006257866.tif 000007
【図６】
2006257866.tif 000008